(57)【特許請求の範囲】
【請求項１】
装置と通信するためのチャネルの第１のセットを決定することと、ここにおいて、前記第１のセット中の各チャネルが、前記装置とのビームトレーニングを実行することによって決定される、
前記第１のセットからチャネルの第２のセットを決定することと、ここにおいて、前記第２のセットの前記チャネルが、しきい値よりも大きいチャネル状態メトリックを有する、
前記第２のセットを介してデータを通信することと、ここにおいて、前記データが通信される前記第２のセットのチャネルが、前記第２のセットの少なくとも１つのチャネルの前記チャネル状態メトリックに基づく、
を備える、ワイヤレス通信の方法。
【請求項２】
チャネルの前記第２のセットを前記決定することが、
前記第１のセットの各チャネル上で少なくとも１つのパイロット信号を前記装置に送信することと、
前記少なくとも１つのパイロット信号に応答して、前記第１のセットの１つまたは複数のチャネル上で肯定応答（ＡＣＫ）／否定応答（ＮＡＣＫ）信号を受信したことに基づいて、前記第１のセットの各チャネルの前記チャネル状態メトリックを監視することと、
前記しきい値よりも大きい監視されたチャネル状態メトリックを有する前記第１のセットの前記チャネルを含むように前記第２のセットを決定することと、
前記第２のセットの前記少なくとも１つのチャネルの前記監視されたチャネル状態メトリックに基づいて、前記第２のセットの前記チャネルの間で、通信されるべき前記データを分割することと、
前記第２のセットの前記少なくとも１つのチャネルのための前記装置からのフィードバックに基づいて、前記第２のセットの各チャネルに対応するデータ送信期間を調整することと
を備える、請求項１に記載の方法。
【請求項３】
チャネルの前記第２のセットを前記決定することが、
前記第１のセットの各チャネルの前記チャネル状態メトリックを監視することと、
前記第１のセットの各チャネルの前記監視されたチャネル状態メトリックに基づいて、前記データを通信するためのリソース許可を決定することと、
前記決定されたリソース許可に対応する前記第１のセットの前記チャネルを含むように前記第２のセットを決定することと、
前記装置からの前記データを通信するための前記リソース許可を前記装置に送信することと
を備える、請求項１に記載の方法。
【請求項４】
チャネルの前記第２のセットを前記決定することが、
前記第１のセットの１つまたは複数のチャネル上で前記装置から少なくとも１つのパイロット信号を受信したことに基づいて、前記第１のセットの各チャネルの前記チャネル状態メトリックを監視することと、
前記しきい値よりも大きい監視されたチャネル状態メトリックを有する前記第１のセットの前記１つまたは複数のチャネルを含むように前記第２のセットを決定することと、
前記第２のセットの前記少なくとも１つのチャネルの前記監視されたチャネル状態メトリックに基づいて、前記第２のセットの前記チャネルの間で前記データ通信を分割することと
を備える、請求項１に記載の方法。
【請求項５】
前記少なくとも１つのパイロット信号に応答して、前記第２のセット中に含まれる前記１つまたは複数のチャネル上で肯定応答（ＡＣＫ）／否定応答（ＮＡＣＫ）信号を前記装置に送信すること
をさらに備える、請求項４に記載の方法。
【請求項６】
チャネルの前記第２のセットを前記決定することが、
前記装置から、前記装置に前記データを通信するためのリソース許可を受信することと、
前記リソース許可に対応する前記第１のセットの前記チャネルを含むように前記第２のセットを決定することと
を備える、請求項１に記載の方法。
【請求項７】
ワイヤレス通信のための装置であって、
装置と通信するためのチャネルの第１のセットを決定するための手段と、ここにおいて、前記第１のセット中の各チャネルが、前記装置とのビームトレーニングを実行することによって決定される、
前記第１のセットからチャネルの第２のセットを決定するための手段と、ここにおいて、前記第２のセットの前記チャネルが、しきい値よりも大きいチャネル状態メトリックを有する、
前記第２のセットを介してデータを通信するための手段と、ここにおいて、前記データが通信される前記第２のセットのチャネルが、前記第２のセットの少なくとも１つのチャネルの前記チャネル状態メトリックに基づく、
を備える、装置。
【請求項８】
チャネルの前記第２のセットを決定するための前記手段が、
前記第１のセットの各チャネル上で少なくとも１つのパイロット信号を前記装置に送信することと、
前記少なくとも１つのパイロット信号に応答して、前記第１のセットの１つまたは複数のチャネル上で肯定応答（ＡＣＫ）／否定応答（ＮＡＣＫ）信号を受信したことに基づいて、前記第１のセットの各チャネルの前記チャネル状態メトリックを監視することと、
前記しきい値よりも大きい監視されたチャネル状態メトリックを有する前記第１のセットの前記チャネルを含むように前記第２のセットを決定することと
を行うように構成された、請求項７に記載の装置。
【請求項９】
前記第２のセットの前記少なくとも１つのチャネルの前記監視されたチャネル状態メトリックに基づいて、前記第２のセットの前記チャネルの間で、通信されるべき前記データを分割するための手段
をさらに備える、請求項８に記載の装置。
【請求項１０】
前記第２のセットの前記少なくとも１つのチャネルのための前記装置からのフィードバックに基づいて、前記第２のセットの各チャネルに対応するデータ送信期間を調整するための手段
をさらに備える、請求項８に記載の装置。
【請求項１１】
チャネルの前記第２のセットを決定するための前記手段が、
前記第１のセットの各チャネルの前記チャネル状態メトリックを監視することと、
前記第１のセットの各チャネルの前記監視されたチャネル状態メトリックに基づいて、前記データを通信するためのリソース許可を決定することと、
前記決定されたリソース許可に対応する前記第１のセットの前記チャネルを含むように前記第２のセットを決定することと
を行うように構成された、請求項７に記載の装置。
【請求項１２】
前記装置からの前記データを通信するための前記リソース許可を前記装置に送信するための手段
をさらに備える、請求項１１に記載の装置。
【請求項１３】
チャネルの前記第２のセットを決定するための前記手段が、
前記第１のセットの１つまたは複数のチャネル上で前記装置から少なくとも１つのパイロット信号を受信したことに基づいて、前記第１のセットの各チャネルの前記チャネル状態メトリックを監視することと、
前記しきい値よりも大きい監視されたチャネル状態メトリックを有する前記第１のセットの前記１つまたは複数のチャネルを含むように前記第２のセットを決定することと
を行うように構成された、請求項７に記載の装置。
【請求項１４】
前記少なくとも１つのパイロット信号に応答して、前記第２のセット中に含まれる前記１つまたは複数のチャネル上で肯定応答（ＡＣＫ）／否定応答（ＮＡＣＫ）信号を前記装置に送信するための手段と、
前記第２のセットの前記少なくとも１つのチャネルの前記監視されたチャネル状態メトリックに基づいて、前記第２のセットの前記チャネルの間で前記データ通信を分割するための手段と
をさらに備える、請求項１３に記載の装置。
【請求項１５】
チャネルの前記第２のセットを決定するための前記手段が、
前記装置から、前記装置に前記データを通信するためのリソース許可を受信することと、
前記リソース許可に対応する前記第１のセットの前記チャネルを含むように前記第２のセットを決定することと
を行うように構成された、請求項７に記載の装置。
【発明の詳細な説明】
【技術分野】
【０００１】
関連出願の相互参照
[0001]本出願は、その全体が参照により本明細書に明確に組み込まれる、２０１４年６月２７日に出願された「PARTITION SCHEDULING BASED ON BEAMTRACKING」と題する米国特許出願第１４／３１８，４３１号の利益を主張する。
【０００２】
[0002]本開示は、一般に通信システムに関し、より詳細には、対応するチャネル状態に基づいて複数の方向に沿ってビームをスケジュールするための期間を適応的に調整することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、ワイヤレス通信のための方法、コンピュータプログラム製品、および装置が提供される。本装置は、他の装置と通信するためのチャネルの第１のセットを決定する。第１のセット中の各チャネルは、他の装置とのビームトレーニングを実行することによって決定される。本装置は、第１のセットからチャネルの第２のセットをさらに決定し、ここにおいて、第２のセットのチャネルは、しきい値よりも大きいチャネル状態を有する。本装置は、第２のセットを介してデータを通信し、ここにおいて、データが通信される第２のセットのチャネルは、第２のセットの少なくとも１つのチャネルのチャネル状態に基づく。
【図面の簡単な説明】
【０００６】
【図１】[0006]ネットワークアーキテクチャの一例を示す図。
【図２】[0007]アクセスネットワークの一例を示す図。
【図３】[0008]アクセスネットワーク中の発展型ノードＢおよびユーザ機器の一例を示す図。
【図４Ａ】[0009]ＬＴＥシステムとともに使用されるｍｍＷシステムの例示的な展開を示す図。
【図４Ｂ】ＬＴＥシステムとともに使用されるｍｍＷシステムの例示的な展開を示す図。
【図４Ｃ】ＬＴＥシステムとともに使用されるｍｍＷシステムの例示的な展開を示す図。
【図５Ａ】[0010]接続ポイントとＵＥとの間のビームフォーミングされた信号の送信の一例を示す図。
【図５Ｂ】接続ポイントとＵＥとの間のビームフォーミングされた信号の送信の一例を示す図。
【図６Ａ】[0011]従来のビームトラッキングを示す図。
【図６Ｂ】[0012]データ送信期間のパーティショニングを適応的に調整することの一例を示す図。
【図７】[0013]ワイヤレス通信の方法のフローチャート。
【図８】[0014]ワイヤレス通信の方法のフローチャート。
【図９】[0015]例示的な装置中の異なるモジュール／手段／構成要素間のデータフローを示すデータフロー図。
【図１０】[0016]処理システムを採用する装置のためのハードウェア実装形態の一例を示す図。
【図１１】[0017]例示的な装置中の異なるモジュール／手段／構成要素間のデータフローを示すデータフロー図。
【図１２】[0018]処理システムを採用する装置のためのハードウェア実装形態の一例を示す図。
【発明を実施するための形態】
【０００７】
[0019]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0020]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【０００９】
[0021]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0022]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１１】
[0023]図１は、ネットワークアーキテクチャ（たとえば、ＬＴＥネットワークアーキテクチャ）１００を示す図である。ネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１２】
[0024]Ｅ−ＵＴＲＡＮは、発展型ノードＢ（ｅＮＢ：evolved Node B）１０６と、他のｅＮＢ１０８と、マルチキャスト協調エンティティ（ＭＣＥ：Multicast Coordination Entity）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0025]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0026]一態様では、ＵＥ１０２は、ＬＴＥネットワークとミリメートル波（ｍｍＷ）システムとを介して信号を通信することが可能である。したがって、ＵＥ１０２は、ＬＴＥリンク上でｅＮＢ１０６および／または他のｅＮＢ１０８と通信し得る。さらに、ＵＥ１０２は、ｍｍＷリンク上で（ｍｍＷシステム通信が可能な）接続ポイント（ＣＰ：connection point）または基地局（ＢＳ）１３０と通信し得る。
【００１５】
[0027]さらなる態様では、他のｅＮＢ１０８のうちの少なくとも１つは、ＬＴＥネットワークとｍｍＷシステムとを介して信号を通信することが可能であり得る。したがって、ｅＮＢ１０８はＬＴＥ＋ｍｍＷ  ｅＮＢと呼ばれることがある。別の態様では、ＣＰ／ＢＳ１３０は、ＬＴＥネットワークとｍｍＷシステムとを介して信号を通信することが可能であり得る。したがって、ＣＰ／ＢＳ１３０はＬＴＥ＋ｍｍＷ  ＣＰ／ＢＳと呼ばれることがある。ＵＥ１０２は、ＬＴＥリンク上で、ならびにｍｍＷリンク上で他のｅＮＢ１０８と通信し得る。
【００１６】
[0028]また別の態様では、他のｅＮＢ１０８は、ＬＴＥネットワークとｍｍＷシステムとを介して信号を通信することが可能であり得るが、ＣＰ／ＢＳ１３０は、ｍｍＷシステムのみを介して信号を通信することが可能である。したがって、ＬＴＥネットワークを介して他のｅＮＢ１０８にシグナリングすることができないＣＰ／ＢＳ１３０は、ｍｍＷバックホールリンク上で他のｅＮＢ１０８と通信し得る。ＵＥ１０２とＣＰ１３０との間のＥＰＳ１００などの方向性ワイヤレスネットワークにおける発見技法について、以下でさらに詳細に説明する。
【００１７】
[0029]図２は、ネットワークアーキテクチャ（たとえば、ＬＴＥネットワークアーキテクチャ）におけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリアを指すことがあり、および／またはｅＮＢサブシステムサービングは特定のカバレージエリアである。さらに、「ｅＮＢ」、「基地局」、および「セル」という用語は、本明細書では互換的に使用されることがある。
【００１８】
[0030]一態様では、ＵＥ２０６は、ＬＴＥネットワークとミリメートル波（ｍｍＷ）システムとを介して信号を通信し得る。したがって、ＵＥ２０６はＬＴＥリンク上でｅＮＢ２０４と通信し、ｍｍＷリンク上で（ｍｍＷシステム通信が可能な）接続ポイント（ＣＰ）または基地局（ＢＳ）２１２と通信し得る。さらなる態様では、ｅＮＢ２０４およびＣＰ／ＢＳ２１２は、ＬＴＥネットワークとｍｍＷシステムとを介して信号を通信し得る。したがって、ＵＥ２０６は、（ｅＮＢ２０４がｍｍＷシステム通信が可能であるとき）ＬＴＥリンクとｍｍＷリンクとの上でｅＮＢ２０４と通信するか、または（ＣＰ／ＢＳ２１２がＬＴＥネットワーク通信が可能であるとき）ｍｍＷリンクとＬＴＥリンクとの上でＣＰ／ＢＳ２１２と通信し得る。また別の態様では、ｅＮＢ２０４はＬＴＥネットワークとｍｍＷシステムとを介して信号を通信するが、ＣＰ／ＢＳ２１２はｍｍＷシステムのみを介して信号を通信する。したがって、ＬＴＥネットワークを介してｅＮＢ２０４にシグナリングすることができないＣＰ／ＢＳ２１２は、ｍｍＷバックホールリンク上でｅＮＢ２０４と通信し得る。
【００１９】
[0031]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００２０】
[0032]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２１】
[0033]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２２】
[0034]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２３】
[0035]図３は、アクセスネットワーク中でＵＥ３５０と通信している基地局３１０のブロック図である。基地局３１０は、たとえば、ＬＴＥシステムのｅＮＢ、ミリメートル波（ｍｍＷ）システムの接続ポイント（ＣＰ）／アクセスポイント／基地局、ＬＴＥシステムとｍｍＷシステムとを介して信号を通信することが可能なｅＮＢ、またはＬＴＥシステムとｍｍＷシステムとを介して信号を通信することが可能な接続ポイント（ＣＰ）／アクセスポイント／基地局であり得る。ＵＥ３５０は、ＬＴＥシステムおよび／またはｍｍＷシステムを介して信号を通信することが可能であり得る。ＤＬでは、コアネットワークからの上位レイヤパケットが、コントローラ／プロセッサ３７５に与えられる。ＤＬでは、コントローラ／プロセッサ３７５は、ヘッダ圧縮と、暗号化と、パケットのセグメンテーションおよび並べ替えと、論理チャネルとトランスポートチャネルとの間の多重化と、様々な優先度メトリックに基づくＵＥ３５０への無線リソース割振りとを行う。コントローラ／プロセッサ３７５はまた、ＨＡＲＱ動作と、紛失パケットの再送信と、ＵＥ３５０へのシグナリングとを担当する。
【００２４】
[0036]送信（ＴＸ）プロセッサ３１６は、様々な信号処理機能を実装する。信号処理機能は、ＵＥ３５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００２５】
[0037]ＵＥ３５０において、各受信機３５４ＲＸは、それのそれぞれのアンテナ３５２を通して信号を受信する。各受信機３５４ＲＸは、ＲＦキャリア上で変調された情報を復元し、受信（ＲＸ）プロセッサ３５６に情報を与える。ＲＸプロセッサ３５６は様々な信号処理機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、基地局３１０によって送信される、可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上で基地局３１０によって最初に送信されたデータと制御信号とを復元するために復号され、デインターリーブされる。データおよび制御信号は、次いで、コントローラ／プロセッサ３５９に与えられる。
【００２６】
[0038]コントローラ／プロセッサ３５９は、プログラムコードとデータとを記憶するメモリ３６０に関連付けられ得る。メモリ３６０はコンピュータ可読媒体と呼ばれることがある。ＵＬでは、コントローラ／プロセッサ３５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、データシンク３６２に与えられる。また、様々な制御信号が処理のためにデータシンク３６２に与えられ得る。コントローラ／プロセッサ３５９はまた、ＨＡＲＱ動作をサポートするために肯定応答（ＡＣＫ）および／または否定応答（ＮＡＣＫ）プロトコルを使用する誤り検出を担当する。
【００２７】
[0039]ＵＬでは、データソース３６７は、コントローラ／プロセッサ３５９に上位レイヤパケットを与えるために使用される。基地局３１０によるＤＬ送信に関して説明した機能と同様に、コントローラ／プロセッサ３５９は、基地局３１０による無線リソース割振りに基づいて、ヘッダ圧縮と、暗号化と、パケットセグメント化および並べ替えと、論理チャネルとトランスポートチャネルとの間の多重化とを行う。コントローラ／プロセッサ３５９はまた、ＨＡＲＱ動作と、紛失パケットの再送信と、基地局３１０へのシグナリングとを担当する。
【００２８】
[0040]基地局３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００２９】
[0041]ＵＬ送信は、ＵＥ３５０における受信機機能に関して説明した方法と同様の方法で基地局３１０において処理される。各受信機３１８ＲＸは、それのそれぞれのアンテナ３２０を介して信号を受信する。各受信機３１８ＲＸは、ＲＦキャリア上で変調された情報を復元し、ＲＸプロセッサ３７０に情報を与える。
【００３０】
[0042]コントローラ／プロセッサ３７５は、プログラムコードとデータとを記憶するメモリ３７６に関連付けられ得る。メモリ３７６はコンピュータ可読媒体と呼ばれることがある。ＵＬでは、制御／プロセッサ３７５は、ＵＥ３５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ３７５からの上位レイヤパケットはコアネットワークに与えられ得る。コントローラ／プロセッサ３７５はまた、ＨＡＲＱ動作をサポートするためにＡＣＫおよび／またはＮＡＣＫプロトコルを使用する誤り検出を担当する。
【００３１】
[0043]ＬＴＥを求めるモチベーションは、モバイルデータ需要のためのセルラーネットワーク帯域幅を増加させることである。モバイルデータ需要が増加するにつれて、その需要を維持するために様々な他の技術が利用され得る。たとえば、高速モバイルデータは、ミリメートル波（ｍｍＷ）チャネルを使用して配信され得る。
【００３２】
[0044]ｍｍＷリンクは、ｍｍＷビームフォーミングが可能な送信機からｍｍＷビームフォーミングが可能な受信機へのベースバンドシンボルの配信として定義され得る。ｍｍＷリソースユニットは、ビーム幅とビーム方向とタイムスロットとの特定の組合せを含み得る。タイムスロットはＬＴＥサブフレームの部分であり、ＬＴＥ物理ダウンリンク制御チャネル（ＰＤＣＣＨ）フレームタイミングと整合され得る。送信機において送信電力を増加させることなしに受信ｍｍＷ信号強度を効果的に増加させるために、ビームフォーミングが適用され得る。送信機と受信機のいずれかまたはその両方のｍｍＷビーム幅を低減することによって、受信機利得が増加され得る。たとえば、ビーム幅は、アンテナアレイに位相シフトを適用することによって変更され得る。
【００３３】
[0045]ｍｍＷ通信システムは超高周波数帯域（たとえば、１０ＧＨｚ〜３００ＧＨｚ）において動作し得る。そのような高キャリア周波数は、大きい帯域幅の使用を可能にする。たとえば、６０ＧＨｚ  ｍｍＷワイヤレスネットワークは約６０ＧＨｚ周波数帯域において大きい帯域幅を与え、（たとえば、６．７Ｇｂｐｓまでの）極めて高いデータレートをサポートする能力を有する。たとえば、超高周波数帯域はバックホール通信のために使用されるか、またはネットワークアクセス（たとえば、ネットワークにアクセスするＵＥ）のために使用され得る。ｍｍＷシステムによってサポートされる適用例は、たとえば、非圧縮ビデオストリーミング、ｓｙｎｃ−ｎ−ｇｏファイル転送、ビデオゲーム、およびワイヤレスディスプレイへの投影を含み得る。
【００３４】
[0046]ｍｍＷシステムが、低利得を有するチャネルを克服するために、いくつかのアンテナとビームフォーミングとの助けをかりて動作し得る。たとえば、高キャリア周波数帯域における大量の減衰は、送信信号の範囲を数メートル（たとえば、１〜３メートル）に制限し得る。また、障害物（たとえば、壁、家具、人間など）の存在は、高周波数ミリメートル波の伝搬を阻止し得る。したがって、高キャリア周波数における伝搬特性は、損失を克服するためにビームフォーミングのニーズを必要とする。ビームフォーミングは、受信デバイスに高周波数信号を特定の方向でビームフォーミングし、したがって、信号の範囲を拡張するために、協働するアンテナのアレイ（たとえば、フェーズドアレイ）を介して実装され得る。ｍｍＷシステムはスタンドアロン様式で動作し得るが、ｍｍＷシステムは、ＬＴＥなど、より確立されているがより低い周波数の（およびより低い帯域幅の）システムとともに実装され得る。
【００３５】
[0047]一態様では、本開示は、ＬＴＥシステムとｍｍＷシステムとの間の協働技法を提供する。たとえば、本開示は、基地局のビームフォーミング、同期、または発見を助けるためによりロバストなシステムの存在を活用し得る。ｍｍＷシステムとより低い周波数システム（たとえば、ＬＴＥ）との間の協働は、１）ｍｍＷチャネル上での発見、同期、または関連付けをサポートするシグナリングのタイプが、異なるより低い周波数のロバストなキャリア上で送られ得、２）ｍｍＷチャネルとより低い周波数キャリア（たとえば、ＬＴＥ）との間の発見および同期シグナリングを送る順序と、３）既存の接続性の活用と、４）送信されたメッセージ中に基地局（ＢＳ）／ユーザ機器（ＵＥ）によって含められるべき情報と、５）ＬＴＥシグナリング中に含められるべき情報とによって可能にされ得る。
【００３６】
[0048]一態様では、ｍｍＷ対応接続ポイント（ＣＰ）または基地局（ＢＳ）（ｍｍＷ対応デバイスのためのネットワークアクセスポイント）は、街灯柱、建築物各面に取り付けられ、および／またはメトロセルとコロケートされ得る。ｍｍＷリンクは、障害物の周りの見通し線（ＬＯＳ：line of sight）または優勢反射経路または回折経路に沿ったビームフォーミングによって形成され得る。ｍｍＷ対応デバイスの課題は、ビームフォーミングのための適切なＬＯＳまたは反射経路を見つけることである。
【００３７】
[0049]図４Ａ〜図４Ｃは、ＬＴＥシステムとともに使用されるｍｍＷシステムの例示的な展開を示す図である。図４Ａにおいて、図４００は、ＬＴＥシステムがｍｍＷシステムとは無関係に、およびｍｍＷシステムと並行して動作する展開を示している。図４Ａに示されているように、ＵＥ４０２は、ＬＴＥシステムとｍｍＷシステムとを介して信号を通信することが可能である。したがって、ＵＥ４０２は、ＬＴＥリンク４１０上でｅＮＢ４０４と通信し得る。ＬＴＥリンク４１０と並行して、ＵＥ４０２はまた、第１のｍｍＷリンク４１２上で第１のＢＳ４０６と通信し、第２のｍｍＷリンク４１４上で第２のＢＳ４０８と通信し得る。
【００３８】
[0050]図４Ｂにおいて、図４３０は、ＬＴＥシステムとｍｍＷシステムとがコロケートされる展開を示している。図４Ｂに示されているように、ＵＥ４３２は、ＬＴＥシステムとｍｍＷシステムとを介して信号を通信することが可能である。一態様では、ＢＳ４３４は、ＬＴＥシステムとｍｍＷシステムとを介して信号を通信することが可能なＬＴＥ  ｅＮＢであり得る。したがって、ＢＳ４３４はＬＴＥ＋ｍｍＷ  ｅＮＢと呼ばれることがある。別の態様では、ＢＳ４３４は、ＬＴＥシステムとｍｍＷシステムとを介して信号を通信することが可能なｍｍＷ  ＣＰであり得る。したがって、ＢＳ４３４はＬＴＥ＋ｍｍＷ  ＢＳと呼ばれることがある。ＵＥ４３２は、ＬＴＥリンク４３６上でＢＳ４３４と通信し得る。一方、ＵＥ４３２はまた、ｍｍＷリンク４３８上でＢＳ４３４と通信し得る。
【００３９】
[0051]図４Ｃにおいて、図４７０は、ＬＴＥシステムとｍｍＷシステムとを介して信号を通信することが可能なＢＳ（ＬＴＥ＋ｍｍＷ基地局）が、ｍｍＷシステムのみを介して信号を通信することが可能なＢＳとともに存在する展開を示している。図４Ｃに示されているように、ＵＥ４７２は、ＬＴＥリンク４８０上でＬＴＥ＋ｍｍＷ  ＢＳ４７４と通信し得る。ＬＴＥ＋ｍｍＷ  ＢＳ４７４はＬＴＥ＋ｍｍＷ  ｅＮＢであり得る。ＬＴＥリンク４８０と並行して、ＵＥ４７２はまた、第１のｍｍＷリンク４８２上で第２のＢＳ４７６と通信し、第２のｍｍＷリンク４８４上で第３のＢＳ４７８と通信し得る。第２のＢＳ４７６は、第１のｍｍＷバックホールリンク４８４上でＬＴＥ＋ｍｍＷ  ＢＳ４７４とさらに通信し得る。第３のＢＳ４７８は、第２のｍｍＷバックホールリンク４８６上でＬＴＥ＋ｍｍＷ  ＢＳ４７４とさらに通信し得る。
【００４０】
[0052]図５Ａおよび図５Ｂは、ＣＰとＵＥとの間のビームフォーミングされた信号の送信の一例を示す図である。ＣＰは、ｍｍＷシステム中のＢＳ（ｍｍＷ  ＢＳ）として実施され得る。図５Ａを参照すると、図５００は、異なる送信方向（たとえば、方向Ａ、Ｂ、Ｃ、およびＤ）でビームフォーミングされた信号５０６（たとえば、同期信号または発見信号）を送信するｍｍＷシステムのＣＰ５０４を示している。一例では、ＣＰ５０４は、シーケンスＡ−Ｂ−Ｃ−Ｄに従う送信方向にわたって掃引し得る。別の例では、ＣＰ５０４は、シーケンスＢ−Ｄ−Ａ−Ｃに従う送信方向にわたって掃引し得る。４つの送信方向および２つの送信シーケンスのみについて図５Ａに関して説明するが、任意の数の異なる送信方向および送信シーケンスが企図される。
【００４１】
[0053]信号を送信した後に、ＣＰ５０４は受信モードに切り替わり得る。受信モードでは、ＣＰ５０４は、ＣＰ５０４が異なる送信方向で同期／発見信号を前に送信したシーケンスまたはパターンに対応する（マッピングする）シーケンスまたはパターンで異なる受信方向にわたって掃引し得る。たとえば、ＣＰ５０４がシーケンスＡ−Ｂ−Ｃ−Ｄに従う送信方向で同期／発見信号を前に送信した場合、ＣＰ５０４は、ＵＥ５０２から関連付け信号を受信する試みにおいてシーケンスＡ−Ｂ−Ｃ−Ｄに従う受信方向にわたって掃引し得る。別の例では、ＣＰ５０４がシーケンスＢ−Ｄ−Ａ−Ｃに従う送信方向で同期／発見信号を前に送信した場合、ＣＰ５０４は、ＵＥ５０２から関連付け信号を受信する試みにおいてシーケンスＢ−Ｄ−Ａ−Ｃに従う受信方向にわたって掃引し得る。
【００４２】
[0054]各ビームフォーミングされた信号に対する伝搬遅延は、ＵＥ５０２が受信（ＲＸ）掃引を実行することを可能にする。受信モードにあるＵＥ５０２は、同期／発見信号５０６（図５Ｂを参照）を検出する試みにおいて、異なる受信方向にわたって掃引し得る。同期／発見信号５０６のうちの１つまたは複数がＵＥ５０２によって検出され得る。強い同期／発見信号５０６が検出されたとき、ＵＥ５０２は、強い同期／発見信号に対応する、ＣＰ５０４の最適送信方向とＵＥ５０２の最適受信方向とを決定し得る。たとえば、ＵＥ５０２は、強い同期／発見信号５０６の予備アンテナ重み／方向を決定し得、ＣＰ５０４がビームフォーミングされた信号を最適に受信することが予想される時間および／またはリソースをさらに決定し得る。その後、ＵＥ５０２は、ビームフォーミングされた信号を介してＣＰ５０４に関連付けることを試み得る。
【００４３】
[0055]図５Ｂの図５２０を参照すると、ＵＥ５０２は、異なる受信方向（たとえば、方向Ｅ、Ｆ、Ｇ、およびＨ）でビームフォーミングされた発見信号をリッスンし得る。一例では、ＵＥ５０２は、シーケンスＥ−Ｆ−Ｇ−Ｈに従う受信方向にわたって掃引し得る。別の例では、ＵＥ５０２は、シーケンスＦ−Ｈ−Ｅ−Ｊに従う受信方向にわたって掃引し得る。４つの受信方向および２つの受信シーケンスのみについて図５Ｂに関して説明するが、任意の数の異なる受信方向および受信シーケンスが企図される。
【００４４】
[0056]ＵＥ５０２は、異なる送信方向（たとえば、方向Ｅ、Ｆ、Ｇ、およびＨ）でビームフォーミングされた信号５２６（たとえば、関連付け信号）を送信することによって関連付けを試み得る。一態様では、ＵＥ５０２は、ＣＰ５０４が関連付け信号を最適に受信することが予想される時間／リソースにおいて、ＵＥ５０２の最適受信方向に沿って送信することによって関連付け信号５２６を送信し得る。受信モードにあるＣＰ５０４は、異なる受信方向にわたって掃引し、受信方向に対応する１つまたは複数のタイムスロット中にＵＥ５０２からの関連付け信号５２６を検出し得る。強い関連付け信号５２６が検出されたとき、ＣＰ５０４は、強い関連付け信号に対応する、ＵＥ５０２の最適送信方向とＣＰ５０４の最適受信方向とを決定し得る。たとえば、ＣＰ５０４は、強い関連付け信号５２６の予備アンテナ重み／方向を決定し得、ＵＥ５０２がビームフォーミングされた信号を最適に受信することが予想される時間および／またはリソースをさらに決定し得る。図５Ａおよび図５Ｂに関して上記で説明したプロセスのいずれも、ＵＥ５０２とＣＰ５０４とが互いとのリンクを確立するための最適な送信および受信方向を最終的に学習するように、時間とともに改良されるか、または繰り返され得る。そのような改良および繰り返しは、ビームトレーニングと呼ばれることがある。
【００４５】
[0057]一態様では、ＣＰ５０４は、いくつかのビームフォーミング方向に従って同期／発見信号を送信するためのシーケンスまたはパターンを選定し得る。ＣＰ５０４は、次いで、同期／発見信号を検出する試みにおいて、ＵＥ５０２がいくつかのビームフォーミング方向にわたって掃引するのに十分長い時間の量の間、信号を送信し得る。たとえば、ＣＰビームフォーミング方向はｎによって示され得、ただし、ｎは０からＮまでの整数であり、Ｎは送信方向の最大数である。その上、ＵＥビームフォーミング方向はｋによって示され得、ただし、ｋは０からＫまでの整数であり、Ｋは受信方向の最大数である。ＵＥ５０２がＣＰ５０４からの同期／発見信号を検出したとき、ＵＥ５０２は、ＵＥ５０２ビームフォーミング方向がｋ＝２であり、ＣＰ５０４ビームフォーミング方向がｎ＝３であるとき、最も強い同期／発見信号が受信されることを発見し得る。したがって、ＵＥ５０２は、対応する応答タイムスロット中でＣＰ５０４に応答する（ビームフォーミングされた信号を送信する）ために同じアンテナ重み／方向を使用し得る。すなわち、ＵＥ５０２は、ＣＰ５０４がＣＰ５０４ビームフォーミング方向ｎ＝３において受信掃引を実行することが予想されるタイムスロット中にＵＥ５０２ビームフォーミング方向ｋ＝２を使用して、ＣＰ５０４に信号を送り得る。
【００４６】
[0058]一態様では、本開示は、対応するチャネル状態に基づいて複数の方向に沿ってビームをスケジュールするためのパーティションを適応的に調整することを提供する。チャネル変動に適応するために、データ送信中に、ビームフォーミングトレーニングのためのビームトラッキングが使用され得る。
【００４７】
[0059]図６Ａは、従来のビームトラッキングを示す図６００である。従来のビームトラッキングは、チャネル状態が経過時間中に変化することがあるので、データ送信がある時間量の間発生した後に実行され得る。ビームトラッキングの結果として、良好なチャネルが発見され得、良好なチャネルを介してデータが送信され得る。従来のビームトラッキングの一例が図６Ａに示されている。図６Ａにおいて、送信（ＴＸ）アンテナが、いくつかの方向、たとえば、チャネル１、２、３、および４に沿ってビームトラッキング信号を送り得る。チャネル２が最良のチャネル状態を有する場合、データは、（たとえば、チャネル２のチャネル状態が劣化したとき）ビームトラッキングの次のラウンドが必要になるまで、チャネル２を使用して送信され得る。概して、ビームトラッキングは、データ送信よりも時間がかからず、見返りにオーバーヘッドがわずかに増加する。しかしながら、チャネル状態は、データ送信中に著しく変動し得る。たとえば、図６Ａにおいて、チャネル２は急速に劣化し得、したがって、チャネル２上でのデータ送信は非効率的になる。劣化したチャネル上でデータを送信することの非効率は、より頻繁にビームトラッキングを実行することによって部分的に解決され得る。しかしながら、ビームトラッキングの頻度を増加させることは、ビームトラッキングがオーバーヘッドを増加させるので妥当でないことがあり、小さいオーバーヘッドを維持することによって、システム効率がより良く適することがある。
【００４８】
[0060]一態様では、本開示は、オーバーヘッドサイズを増加させることなしにチャネル変動に対してよりロバストであるビームトラッキングに基づくパーティションスケジューリング方式を提供する。たとえば、最初のビームフォーミングトレーニングの後に、送信機は、信号を送るための、いくつかの良好なチャネルと、対応するビーム方向とを決定し得る。送信機は、周期的にビームトラッキングを実行することによって、良好なチャネルの状態を追跡し得る。本開示の一態様では、送信機は、ビームトラッキング結果から生じる最良のチャネル上でデータを送信し得るだけでなく、ビームトラッキング結果から生じるいくつかの高品質（チャネル状態）チャネルを介してデータを送信し得る。
【００４９】
[0061]一態様では、適応型パーティションスケジューリング方式が以下のように提供され得る。ビームトラッキング結果に基づいて、送信機は、いくつかの適度に良好な（たとえば、高品質）候補チャネルの存在を決定し得る。したがって、後続の短いデータ送信期間が、候補チャネルのチャネル状態に基づいて、比例する部分に分割され得る。各部分内で、データは、候補チャネルのうちの１つに沿って送信され得る。
【００５０】
[0062]ビームトラッキングの各ラウンドの後に、候補チャネルの状態は、受信機からのフィードバックに基づいて再評価され得る。フィードバックは、信号対雑音比（ＳＮＲ）、ビット誤り率などを含み得る。したがって、それぞれの候補チャネルに対応するデータ送信期間の部分は、各候補チャネルのために受信されたフィードバックに基づいて適応的に調整され得る。このプロセスの一例が図６Ｂに示されている。
【００５１】
[0063]図６Ｂは、データ送信期間のパーティショニングを適応的に調整することの一例を示す図６５０である。図６Ｂにおいて、送信機が、いくつかのチャネル、たとえば、チャネル１、２、３、および４の状態を追跡するために信号を送り得る。その結果、チャネル１および２は、チャネル状態メトリックに関して適度に良好であり（たとえば、高品質を有し）、したがって、候補チャネルとして選定され得る。その後、後続の小さいデータ送信期間が、２つの候補チャネルのチャネル状態に基づいて、比例する部分に分割され得る。各部分内で、送信機は、２つの候補チャネルのうちの１つに沿ってデータを送信し得る。一例では、チャネル２の状態は、チャネル１の状態よりも品質が高くなり得る。したがって、データ送信期間は、各チャネルに関する品質のレベルに従ってチャネル１とチャネル２との間で分割され得る。したがって、チャネル２がより高品質のチャネルであるので、データは、チャネル１よりも長い時間期間の間チャネル２を介して送信され得る。
【００５２】
[0064]一態様では、図６Ｂに関して説明した動作は、送信が、データ送信期間の大部分の間最良の利用可能なチャネルを使用し得るので、妥当なデータ送信レートを与え得る。しかしながら、比較的長いデータ送信持続時間にわたって、チャネル２の状態は急速に劣化し得、チャネル１の状態は改善し得る。２つの候補チャネル１および２のための受信機からのフィードバックに基づいて、２つの候補チャネルに対応するデータ送信期間の部分は調整され得る。したがって、後で、送信機は、チャネル２のチャネル状態を追跡し続けながら、ほぼチャネル１を使用してデータを送信し得る。
【００５３】
[0065]一態様では、候補チャネルの数はビームトラッキングの結果に依存し得る。たとえば、ビームトラッキングの後に、４つのチャネルが高品質チャネル状態を等しく有すると送信機が決定した場合、送信機は、すべてのチャネルの状態を追跡し続けながら、短いデータ送信期間を４つの等しい部分に分割し得る。候補チャネルの数が最初に大きい場合、データ送信中に、送信機は、著しいチャネル状態劣化を有するチャネルに対応する部分を除去／再割り振りし得る。
【００５４】
[0066]上記で説明したように、データ送信期間パーティションの適応調整について、主に送信機に関して説明する。たとえば、上記で説明した動作は、送信（ＴＸ）アンテナトレーニングのために使用され得る。しかしながら、本開示はまた、受信機に関してデータ受信期間パーティションを適応的に調整することを提供する。一例では、受信（ＲＸ）アンテナトレーニングの場合、ＲＸ固有パイロットトーンがデータ送信シンボルに追加され得る。
【００５５】
[0067]本開示の一態様では、ワイヤレス通信の方法は以下の通りであり得る。本方法はＵＥによって実行され得る。最初に、ＵＥは、基地局と通信するためのチャネルの第１のセットを決定し得、ここにおいて、第１のセット中の各チャネルは、対応するビーム方向を有する。チャネルの第１のセットは、基地局とのビームトレーニングを実行することによって決定され得る。その後、ＵＥは、対応するビーム方向に沿ってビームトラッキングを周期的に実行することによって、第１のセット中の各チャネルのチャネル状態を追跡し得る。ＵＥは、チャネルの第１のセットから候補チャネルの第２のセットを決定し得、ここにおいて、第２のセット中の各候補チャネルは、しきい値を上回るチャネル状態を有する。ＵＥは、データ送信期間を、第２のセット中のいくつかの候補チャネルに対応するいくつかのサブ期間に分割し、候補チャネルを介してデータを送信する。それぞれの候補チャネルを介して送信されたデータは、それぞれの候補チャネルに対応するサブ期間中に送信される。
【００５６】
[0068]さらなる態様では、本方法は、ＵＥが、それぞれの候補チャネルのチャネル状態に基づいてそれぞれの候補チャネルに対応するサブ期間の長さをサイズ決定することを提供する。いくつかのサブ期間の間で最も大きい長さを有するサブ期間が、いくつかの候補チャネルの間で最も強いチャネル状態を有する候補チャネルに対応する。
【００５７】
[0069]別の態様では、本方法は、ＵＥが、受信機からそれぞれの候補チャネルの更新されたチャネル状態を受信することを提供する。ＵＥは、次いで、それぞれの候補チャネルの更新されたチャネル状態に基づいて、それぞれの候補チャネルに対応するサブ期間の長さを再びサイズ決定し、再びサイズ決定された長さを有する対応するサブ期間中にそれぞれの候補チャネルを介してデータを送信し得る。それぞれの候補チャネルの更新されたチャネル状態がしきい値を下回るとき、ＵＥは、それぞれの候補チャネルを介してデータを送信することを控え得る。
【００５８】
[0070]図７は、ワイヤレス通信の方法のフローチャート７００である。本方法は基地局（たとえば、ＣＰ５０４）によって実行され得る。ステップ７０２において、基地局は、装置（たとえば、ＵＥ５０２）と通信するためのチャネルの第１のセットを決定する。第１のセット中の各チャネルは、装置とのビームトレーニングを実行することによって決定され得る。
【００５９】
[0071]ステップ７０４において、基地局は、第１のセットからチャネルの第２のセットを決定する。第２のセットのチャネルは、しきい値よりも大きいチャネル状態を有し得る。
【００６０】
[0072]ステップ７１０において、基地局は、第２のセットを介して装置にデータを通信する。データが通信される第２のセットのチャネルが、第２のセットの少なくとも１つのチャネルのチャネル状態に基づき得る。さらに、データの通信は、装置にデータを送信することおよび／または装置からデータを受信することを含み得る。
【００６１】
[0073]一態様では、基地局が、ダウンリンクにおいて装置にデータを送信するように構成されたとき、基地局は、最初に、第１のセットの各チャネル上で少なくとも１つのパイロット信号を装置に送信することによって、チャネルの第２のセットを決定し得る（ステップ７０４）。その後、基地局は、少なくとも１つのパイロット信号に応答して、第１のセットの１つまたは複数のチャネル上で肯定応答（ＡＣＫ）／否定応答（ＮＡＣＫ）信号を受信したことに基づいて、第１のセットの各チャネルのチャネル状態を監視し得る。基地局は、次いで、しきい値よりも大きい監視されたチャネル状態を有する第１のセットのチャネルを含むように第２のセットを決定する。したがって、ステップ７０６において（ステップ７１０においてデータを通信するより前に）、基地局は、第２のセットの少なくとも１つのチャネルの監視されたチャネル状態に基づいて、第２のセットのチャネルの間で、通信されるべきデータを分割する（図６Ｂおよび対応する説明参照）。基地局は、さらに、第２のセットの少なくとも１つのチャネルの監視されたチャネル状態に基づいて、第２のセットの各チャネル上で送信されるパイロット信号の数を調整し得る。
【００６２】
[0074]さらなる態様では、基地局が、アップリンクにおいて装置からデータを受信するように構成されたとき、基地局は、最初に、第１のセットの各チャネルのチャネル状態を監視することによって、チャネルの第２のセットを決定し得る（ステップ７０４）。その後、基地局は、第１のセットの各チャネルの監視されたチャネル状態に基づいて、データを通信する（たとえば、データを受信する）ためのリソース許可を決定する。基地局は、次いで、決定されたリソース許可に対応する第１のセットのチャネルを含むように第２のセットを決定する。したがって、ステップ７０８において（ステップ７１０においてデータを通信するより前に）、基地局は、装置からデータを受信するためのリソース許可を装置に送信する。
【００６３】
[0075]図８は、ワイヤレス通信の方法のフローチャート８００である。本方法はＵＥ（たとえば、ＵＥ５０２）によって実行され得る。ステップ８０２において、ＵＥは、装置（たとえば、ＣＰ５０２）と通信するためのチャネルの第１のセットを決定する。第１のセット中の各チャネルは、装置とのビームトレーニングを実行することによって決定され得る。
【００６４】
[0076]ステップ８０４において、ＵＥは、第１のセットからチャネルの第２のセットを決定する。第２のセットのチャネルは、しきい値よりも大きいチャネル状態を有し得る。
【００６５】
[0077]ステップ８１０において、ＵＥは、第２のセットを介して装置にデータを通信する。データが通信される第２のセットのチャネルが、第２のセットの少なくとも１つのチャネルのチャネル状態に基づき得る。さらに、データの通信は、装置にデータを送信することおよび／または装置からデータを受信することを含み得る。
【００６６】
[0078]一態様では、ＵＥが、ダウンリンクにおいて装置からデータを受信するように構成されたとき、ＵＥは、最初に、第１のセットの１つまたは複数のチャネル上で装置から少なくとも１つのパイロット信号を受信したことに基づいて、第１のセットの各チャネルのチャネル状態を監視することによって、チャネルの第２のセットを決定し得る（ステップ８０４）。その後、ＵＥは、しきい値よりも大きい監視されたチャネル状態を有する第１のセットの１つまたは複数のチャネルを含むように第２のセットを決定する。したがって、ステップ８０８において（ステップ８１０においてデータを通信するより前に）、ＵＥは、第２のセットの少なくとも１つのチャネルの監視されたチャネル状態に基づいて、第２のセットのチャネルの間でデータの通信（たとえば、データの受信）を分割する。追加または代替として、データの通信を分割する（ステップ８０８）より前に、ＵＥは、少なくとも１つのパイロット信号に応答して、第２のセット中に含まれる１つまたは複数のチャネル上で肯定応答（ＡＣＫ）／否定応答（ＮＡＣＫ）信号を装置に送信し得る。
【００６７】
[0079]別の態様では、ＵＥが、アップリンクにおいて装置にデータを送信するように構成されたとき、ＵＥは、最初に、装置から、装置にデータを通信するためのリソース許可を受信することによって、チャネルの第２のセットを決定し得る（ステップ８０４）。ＵＥは、次いで、リソース許可に対応する第１のセットのチャネルを含むように第２のセットを決定し得る。したがって、ステップ８０８において（ステップ８１０においてデータを通信するより前に）、ＵＥは、リソース許可に基づいて、第２のセットのチャネルの間でデータの通信（たとえば、データの送信）を分割する。
【００６８】
[0080]図９は、例示的な装置９０２中の異なるモジュール／手段／構成要素間のデータフローを示す概念データフロー図９００である。本装置は基地局（たとえば、ＣＰ５０４）であり得る。本装置は、受信モジュール９０４と、チャネル決定モジュール９０６と、データ処理モジュール９０８と、リソース決定モジュール９１０と、送信モジュール９１２とを含む。
【００６９】
[0081]チャネル決定モジュール９０６は、ＵＥ９５０（たとえば、ＵＥ５０２）と通信するためのチャネルの第１のセットを決定する。第１のセット中の各チャネルは、ＵＥ９５０とのビームトレーニングを実行することによって決定され得る。
【００７０】
[0082]チャネル決定モジュール９０６は、第１のセットからチャネルの第２のセットを決定する。第２のセットのチャネルは、しきい値よりも大きいチャネル状態を有し得る。
【００７１】
[0083]データ処理モジュール９０８は、第２のセットを介してＵＥ９５０にデータを通信する。データが通信される第２のセットのチャネルが、第２のセットの少なくとも１つのチャネルのチャネル状態に基づき得る。さらに、データの通信は、（送信モジュール９１２を介して）ＵＥ９５０にデータを送信することおよび／または（受信モジュール９０４を介して）ＵＥ９５０からデータを受信することを含み得る。
【００７２】
[0084]一態様では、装置９０２が、ダウンリンクにおいてＵＥ９５０にデータを送信するように構成されたとき、チャネル決定モジュール９０６は、最初に、第１のセットの各チャネル上で少なくとも１つのパイロット信号を（送信モジュール９１２を介して）ＵＥ９５０に送信することによって、チャネルの第２のセットを決定し得る。その後、チャネル決定モジュール９０６は、少なくとも１つのパイロット信号に応答して、第１のセットの１つまたは複数のチャネル上で肯定応答（ＡＣＫ）／否定応答（ＮＡＣＫ）信号を受信したことに基づいて、第１のセットの各チャネルのチャネル状態を監視し得る。チャネル決定モジュール９０６は、次いで、しきい値よりも大きい監視されたチャネル状態を有する第１のセットのチャネルを含むように第２のセットを決定する。したがって、データを通信するより前に、データ処理モジュール９０８は、第２のセットの少なくとも１つのチャネルの監視されたチャネル状態に基づいて、第２のセットのチャネルの間で、通信されるべきデータを分割する。チャネル決定モジュール９０６は、さらに、第２のセットの少なくとも１つのチャネルの監視されたチャネル状態に基づいて、第２のセットの各チャネル上で送信されるパイロット信号の数を調整し得る。
【００７３】
[0085]さらなる態様では、装置９０２が、アップリンクにおいてＵＥ９５０からデータを受信するように構成されたとき、チャネル決定モジュール９０６は、最初に、第１のセットの各チャネルのチャネル状態を監視することによって、チャネルの第２のセットを決定し得る。その後、リソース決定モジュール９１０は、第１のセットの各チャネルの監視されたチャネル状態に基づいて、データを通信する（たとえば、データを受信する）ためのリソース許可を決定する。チャネル決定モジュール９０６は、次いで、決定されたリソース許可に対応する第１のセットのチャネルを含むように第２のセットを決定する。したがって、データ処理モジュール９０８がデータを受信するより前に、リソース決定モジュール９１０は、ＵＥ９５０からデータを受信するためのリソース許可を（送信モジュール９１２を介して）ＵＥ９５０に送信する。
【００７４】
[0086]本装置は、図７の上述のフローチャート中のアルゴリズムのステップの各々を実行する追加のモジュールを含み得る。したがって、図７の上述のフローチャート中の各ステップは１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７５】
[0087]図１０は、処理システム１０１４を採用する装置９０２’のためのハードウェア実装形態の一例を示す図１０００である。処理システム１０１４は、バス１０２４によって概略的に表されるバスアーキテクチャを用いて実装され得る。バス１０２４は、処理システム１０１４の特定の適用例および全体的な設計制約に応じて、任意の数の相互接続バスおよびブリッジを含み得る。バス１０２４は、プロセッサ１００４によって表される１つまたは複数のプロセッサおよび／またはハードウェアモジュールと、モジュール９０４、９０６、９０８、９１０、９１２と、コンピュータ可読媒体／メモリ１００６とを含む様々な回路を互いにリンクする。バス１０２４はまた、タイミングソース、周辺機器、電圧調整器、および電力管理回路など、様々な他の回路をリンクし得るが、これらの回路は当技術分野においてよく知られており、したがって、これ以上説明しない。
【００７６】
[0088]処理システム１０１４はトランシーバ１０１０に結合され得る。トランシーバ１０１０は１つまたは複数のアンテナ１０２０に結合される。トランシーバ１０１０は、伝送媒体を介して様々な他の装置と通信するための手段を与える。トランシーバ１０１０は、１つまたは複数のアンテナ１０２０から信号を受信し、受信された信号から情報を抽出し、抽出された情報を処理システム１０１４、特に受信モジュール９０４に与える。さらに、トランシーバ１０１０は、処理システム１０１４、特に送信モジュール９１２から情報を受信し、受信された情報に基づいて、１つまたは複数のアンテナ１０２０に適用されるべき信号を生成する。処理システム１０１４は、コンピュータ可読媒体／メモリ１００６に結合されたプロセッサ１００４を含む。プロセッサ１００４は、コンピュータ可読媒体／メモリ１００６に記憶されたソフトウェアの実行を含む一般的な処理を担当する。ソフトウェアは、プロセッサ１００４によって実行されたとき、処理システム１０１４に、特定の装置のための上記で説明した様々な機能を実行させる。コンピュータ可読媒体／メモリ１００６はまた、ソフトウェアを実行するときにプロセッサ１００４によって操作されるデータを記憶するために使用され得る。処理システムは、モジュール９０４、９０６、９０８、９１０、９１２のうちの少なくとも１つをさらに含む。それらのモジュールは、プロセッサ１００４中で動作するか、コンピュータ可読媒体／メモリ１００６中に常駐する／記憶されたソフトウェアモジュールであるか、プロセッサ１００４に結合された１つまたは複数のハードウェアモジュールであるか、またはそれらの何らかの組合せであり得る。処理システム１０１４は、基地局３１０の構成要素であり得、メモリ３７６、および／またはＴＸプロセッサ３１６と、ＲＸプロセッサ３７０と、コントローラ／プロセッサ３７５とのうちの少なくとも１つを含み得る。
【００７７】
[0089]一構成では、ワイヤレス通信のための装置９０２／９０２’は、装置と通信するためのチャネルの第１のセットを決定するための手段と、ここにおいて、第１のセット中の各チャネルが、装置とのビームトレーニングを実行することによって決定される、第１のセットからチャネルの第２のセットを決定するための手段と、ここにおいて、第２のセットのチャネルが、しきい値よりも大きいチャネル状態を有する、第２のセットを介してデータを通信するための手段と、ここにおいて、データが通信される第２のセットのチャネルが、第２のセットの少なくとも１つのチャネルのチャネル状態に基づく、第２のセットの少なくとも１つのチャネルの監視されたチャネル状態に基づいて、第２のセットのチャネルの間で、通信されるべきデータを分割するための手段と、装置からのデータを通信するためのリソース許可を装置に送信するための手段とを含む。
【００７８】
[0090]上述の手段は、上述の手段によって具陳された機能を実行するように構成された、装置９０２、および／または装置９０２’の処理システム１０１４の上述のモジュールのうちの１つまたは複数であり得る。上記で説明したように、処理システム１０１４は、ＴＸプロセッサ３１６と、ＲＸプロセッサ３７０と、コントローラ／プロセッサ３７５とを含み得る。したがって、一構成では、上述の手段は、上述の手段によって具陳された機能を実行するように構成された、ＴＸプロセッサ３１６と、ＲＸプロセッサ３７０と、コントローラ／プロセッサ３７５とであり得る。
【００７９】
[0091]図１１は、例示的な装置１１０２中の異なるモジュール／手段／構成要素間のデータフローを示す概念データフロー図１１００である。本装置はＵＥ（たとえば、ＵＥ５０２）であり得る。本装置は、受信モジュール１１０４と、チャネル決定モジュール１１０６と、データ処理モジュール１１０８と、リソース決定モジュール１１１０と、送信モジュール１１１２とを含む。
【００８０】
[0092]チャネル決定モジュール１１０６は、基地局１１５０（たとえば、ＣＰ５０２）と通信するためのチャネルの第１のセットを決定する。第１のセット中の各チャネルは、基地局１１５０とのビームトレーニングを実行することによって決定され得る。
【００８１】
[0093]チャネル決定モジュール１１０６は、第１のセットからチャネルの第２のセットを決定する。第２のセットのチャネルは、しきい値よりも大きいチャネル状態を有し得る。
【００８２】
[0094]データ処理モジュール１１０８は、第２のセットを介して基地局１１５０にデータを通信する。データが通信される第２のセットのチャネルが、第２のセットの少なくとも１つのチャネルのチャネル状態に基づき得る。さらに、データの通信は、（送信モジュール１１１２を介して）基地局１１５０にデータを送信することおよび／または（受信モジュール１１０４を介して）基地局１１５０からデータを受信することを含み得る。
【００８３】
[0095]一態様では、装置１１０２が、ダウンリンクにおいて基地局１１５０からデータを受信するように構成されたとき、チャネル決定モジュール１１０６は、最初に、第１のセットの１つまたは複数のチャネル上で基地局１１５０から少なくとも１つのパイロット信号を受信したことに基づいて、第１のセットの各チャネルのチャネル状態を監視することによって、チャネルの第２のセットを決定し得る。その後、チャネル決定モジュール１１０６は、しきい値よりも大きい監視されたチャネル状態を有する第１のセットの１つまたは複数のチャネルを含むように第２のセットを決定する。したがって、データを通信するより前に、データ処理モジュール１１０８は、第２のセットの少なくとも１つのチャネルの監視されたチャネル状態に基づいて、第２のセットのチャネルの間でデータの通信（たとえば、データの受信）を分割する。追加または代替として、データ処理モジュール１１０８がデータ通信を分割するより前に、チャネル決定モジュール１１０６は、少なくとも１つのパイロット信号に応答して、第２のセット中に含まれる１つまたは複数のチャネル上で肯定応答（ＡＣＫ）／否定応答（ＮＡＣＫ）信号を基地局１１５０に送信し得る。
【００８４】
[0096]別の態様では、装置１１０２が、アップリンクにおいて基地局１１５０にデータを送信するように構成されたとき、リソース決定モジュール１１１０は、（受信モジュール１１０４を介して）基地局１１５０から、基地局１１５０にデータを通信するためのリソース許可を受信し得る。したがって、チャネル決定モジュール１１０６は、リソース決定モジュール１１１０から与えられたリソース許可に基づいて、チャネルの第２のセットを決定し得る。たとえば、チャネル決定モジュール１１０６は、リソース許可に対応する第１のセットのチャネルを含むように第２のセットを決定し得る。したがって、データを通信するより前に、データ処理モジュール１１０８は、リソース許可に基づいて、第２のセットのチャネルの間でデータの通信（たとえば、データの送信）を分割し得る。
【００８５】
[0097]本装置は、図８の上述のフローチャート中のアルゴリズムのステップの各々を実行する追加のモジュールを含み得る。したがって、図８の上述のフローチャート中の各ステップは１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８６】
[0098]図１２は、処理システム１２１４を採用する装置１１０２’のためのハードウェア実装形態の一例を示す図１２００である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２０４によって表される１つまたは複数のプロセッサおよび／またはハードウェアモジュールと、モジュール１１０４、１１０６、１１０８、１１１０、１１１２と、コンピュータ可読媒体／メモリ１２０６とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００８７】
[0099]処理システム１２１４はトランシーバ１２１０に結合され得る。トランシーバ１２１０は１つまたは複数のアンテナ１２２０に結合される。トランシーバ１２１０は、伝送媒体を介して様々な他の装置と通信するための手段を与える。トランシーバ１２１０は、１つまたは複数のアンテナ１２２０から信号を受信し、受信された信号から情報を抽出し、抽出された情報を処理システム１２１４、特に受信モジュール１１０４に与える。さらに、トランシーバ１２１０は、処理システム１２１４、特に送信モジュール１１１２から情報を受信し、受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む一般的な処理を担当する。ソフトウェアは、プロセッサ１２０４によって実行されたとき、処理システム１２１４に、特定の装置のための上記で説明した様々な機能を実行させる。コンピュータ可読媒体／メモリ１２０６はまた、ソフトウェアを実行するときにプロセッサ１２０４によって操作されるデータを記憶するために使用され得る。処理システムは、モジュール１１０４、１１０６、１１０８、１１１０、および１１１２のうちの少なくとも１つをさらに含む。それらのモジュールは、プロセッサ１２０４中で動作するか、コンピュータ可読媒体／メモリ１２０６中に常駐する／記憶されたソフトウェアモジュールであるか、プロセッサ１２０４に結合された１つまたは複数のハードウェアモジュールであるか、またはそれらの何らかの組合せであり得る。処理システム１２１４は、ＵＥ３５０の構成要素であり得、メモリ３６０、および／またはＴＸプロセッサ３６８と、ＲＸプロセッサ３５６と、コントローラ／プロセッサ３５９とのうちの少なくとも１つを含み得る。
【００８８】
[00100]一構成では、ワイヤレス通信のための装置１１０２／１１０２’は、装置と通信するためのチャネルの第１のセットを決定するための手段と、ここにおいて、第１のセット中の各チャネルが、装置とのビームトレーニングを実行することによって決定される、第１のセットからチャネルの第２のセットを決定するための手段と、ここにおいて、第２のセットのチャネルが、しきい値よりも大きいチャネル状態を有する、第２のセットを介してデータを通信するための手段と、ここにおいて、データが通信される第２のセットのチャネルが、第２のセットの少なくとも１つのチャネルのチャネル状態に基づく、少なくとも１つのパイロット信号に応答して、第２のセット中に含まれる１つまたは複数のチャネル上で肯定応答（ＡＣＫ）／否定応答（ＮＡＣＫ）信号を装置に送信するための手段と、第２のセットの少なくとも１つのチャネルの監視されたチャネル状態に基づいて、第２のセットのチャネルの間でデータ通信を分割するための手段とを含む。
【００８９】
[00101]上述の手段は、上述の手段によって具陳された機能を実行するように構成された、装置１１０２、および／または装置１１０２’の処理システム１２１４の上述のモジュールのうちの１つまたは複数であり得る。上記で説明したように、処理システム１２１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成された、ＴＸプロセッサ３６８と、ＲＸプロセッサ３５６と、コントローラ／プロセッサ３５９とであり得る。
【００９０】
[00102]開示したプロセス／フローチャート中のステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示した特定の順序または階層に限定されるものではない。
【００９１】
[00103]以上の説明は、当業者が本明細書で説明した様々な態様を実施できるようにするために与えられた。これらの態様に対する様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示するいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
装置と通信するためのチャネルの第１のセットを決定することと、ここにおいて、前記第１のセット中の各チャネルが、前記装置とのビームトレーニングを実行することによって決定される、
前記第１のセットからチャネルの第２のセットを決定することと、ここにおいて、前記第２のセットの前記チャネルが、しきい値よりも大きいチャネル状態を有する、
前記第２のセットを介してデータを通信することと、ここにおいて、前記データが通信される前記第２のセットのチャネルが、前記第２のセットの少なくとも１つのチャネルの前記チャネル状態に基づく、を備える、ワイヤレス通信の方法。
［Ｃ２］
チャネルの前記第２のセットを前記決定することが、
前記第１のセットの各チャネル上で少なくとも１つのパイロット信号を前記装置に送信することと、
前記少なくとも１つのパイロット信号に応答して、前記第１のセットの１つまたは複数のチャネル上で肯定応答（ＡＣＫ）／否定応答（ＮＡＣＫ）信号を受信したことに基づいて、前記第１のセットの各チャネルの前記チャネル状態を監視することと、
前記しきい値よりも大きい監視されたチャネル状態を有する前記第１のセットの前記チャネルを含むように前記第２のセットを決定することと
を備える、Ｃ１に記載の方法。
［Ｃ３］
前記第２のセットの前記少なくとも１つのチャネルの前記監視されたチャネル状態に基づいて、前記第２のセットの前記チャネルの間で、通信されるべき前記データを分割することをさらに備える、Ｃ２に記載の方法。
［Ｃ４］
チャネルの前記第２のセットを前記決定することが、
前記第２のセットの前記少なくとも１つのチャネルの前記監視されたチャネル状態に基づいて、前記第２のセットの各チャネル上で送信されるパイロット信号の数を調整することをさらに備える、Ｃ２に記載の方法。
［Ｃ５］
チャネルの前記第２のセットを前記決定することが、
前記第１のセットの各チャネルの前記チャネル状態を監視することと、
前記第１のセットの各チャネルの前記監視されたチャネル状態に基づいて、前記データを通信するためのリソース許可を決定することと、
前記決定されたリソース許可に対応する前記第１のセットの前記チャネルを含むように前記第２のセットを決定することと
を備える、Ｃ１に記載の方法。
［Ｃ６］
前記装置からの前記データを通信するための前記リソース許可を前記装置に送信することをさらに備える、Ｃ５に記載の方法。
［Ｃ７］
チャネルの前記第２のセットを前記決定することが、
前記第１のセットの１つまたは複数のチャネル上で前記装置から少なくとも１つのパイロット信号を受信したことに基づいて、前記第１のセットの各チャネルの前記チャネル状態を監視することと、
前記しきい値よりも大きい監視されたチャネル状態を有する前記第１のセットの前記１つまたは複数のチャネルを含むように前記第２のセットを決定することと
を備える、Ｃ１に記載の方法。
［Ｃ８］
前記少なくとも１つのパイロット信号に応答して、前記第２のセット中に含まれる前記１つまたは複数のチャネル上で肯定応答（ＡＣＫ）／否定応答（ＮＡＣＫ）信号を前記装置に送信することをさらに備える、Ｃ７に記載の方法。
［Ｃ９］
前記第２のセットの前記少なくとも１つのチャネルの前記監視されたチャネル状態に基づいて、前記第２のセットの前記チャネルの間で前記データ通信を分割することをさらに備える、Ｃ７に記載の方法。
［Ｃ１０］
チャネルの前記第２のセットを前記決定することが、
前記装置から、前記装置に前記データを通信するためのリソース許可を受信することと、
前記リソース許可に対応する前記第１のセットの前記チャネルを含むように前記第２のセットを決定することと
を備える、Ｃ１に記載の方法。
［Ｃ１１］
ワイヤレス通信のための装置であって、
装置と通信するためのチャネルの第１のセットを決定するための手段と、ここにおいて、前記第１のセット中の各チャネルが、前記装置とのビームトレーニングを実行することによって決定される、
前記第１のセットからチャネルの第２のセットを決定するための手段と、ここにおいて、前記第２のセットの前記チャネルが、しきい値よりも大きいチャネル状態を有する、
前記第２のセットを介してデータを通信するための手段と、ここにおいて、前記データが通信される前記第２のセットのチャネルが、前記第２のセットの少なくとも１つのチャネルの前記チャネル状態に基づく、を備える、装置。
［Ｃ１２］
チャネルの前記第２のセットを決定するための前記手段が、
前記第１のセットの各チャネル上で少なくとも１つのパイロット信号を前記装置に送信することと、
前記少なくとも１つのパイロット信号に応答して、前記第１のセットの１つまたは複数のチャネル上で肯定応答（ＡＣＫ）／否定応答（ＮＡＣＫ）信号を受信したことに基づいて、前記第１のセットの各チャネルの前記チャネル状態を監視することと、
前記しきい値よりも大きい監視されたチャネル状態を有する前記第１のセットの前記チャネルを含むように前記第２のセットを決定することと
を行うように構成された、Ｃ１１に記載の装置。
［Ｃ１３］
前記第２のセットの前記少なくとも１つのチャネルの前記監視されたチャネル状態に基づいて、前記第２のセットの前記チャネルの間で、通信されるべき前記データを分割するための手段をさらに備える、Ｃ１２に記載の装置。
［Ｃ１４］
チャネルの前記第２のセットを決定するための前記手段が、
前記第２のセットの前記少なくとも１つのチャネルの前記監視されたチャネル状態に基づいて、前記第２のセットの各チャネル上で送信されるパイロット信号の数を調整することを行うようにさらに構成された、Ｃ１２に記載の装置。
［Ｃ１５］
チャネルの前記第２のセットを決定するための前記手段が、
前記第１のセットの各チャネルの前記チャネル状態を監視することと、
前記第１のセットの各チャネルの前記監視されたチャネル状態に基づいて、前記データを通信するためのリソース許可を決定することと、
前記決定されたリソース許可に対応する前記第１のセットの前記チャネルを含むように前記第２のセットを決定することと
を行うように構成された、Ｃ１１に記載の装置。
［Ｃ１６］
前記装置からの前記データを通信するための前記リソース許可を前記装置に送信するための手段をさらに備える、Ｃ１５に記載の装置。
［Ｃ１７］
チャネルの前記第２のセットを決定するための前記手段が、
前記第１のセットの１つまたは複数のチャネル上で前記装置から少なくとも１つのパイロット信号を受信したことに基づいて、前記第１のセットの各チャネルの前記チャネル状態を監視することと、
前記しきい値よりも大きい監視されたチャネル状態を有する前記第１のセットの前記１つまたは複数のチャネルを含むように前記第２のセットを決定することと
を行うように構成された、Ｃ１１に記載の装置。
［Ｃ１８］
前記少なくとも１つのパイロット信号に応答して、前記第２のセット中に含まれる前記１つまたは複数のチャネル上で肯定応答（ＡＣＫ）／否定応答（ＮＡＣＫ）信号を前記装置に送信するための手段をさらに備える、Ｃ１７に記載の装置。
［Ｃ１９］
前記第２のセットの前記少なくとも１つのチャネルの前記監視されたチャネル状態に基づいて、前記第２のセットの前記チャネルの間で前記データ通信を分割するための手段をさらに備える、Ｃ１７に記載の装置。
［Ｃ２０］
チャネルの前記第２のセットを決定するための前記手段が、
前記装置から、前記装置に前記データを通信するためのリソース許可を受信することと、
前記リソース許可に対応する前記第１のセットの前記チャネルを含むように前記第２のセットを決定することと
を行うように構成された、Ｃ１１に記載の装置。
［Ｃ２１］
ワイヤレス通信のための装置であって、
メモリと、
前記メモリに結合された少なくとも１つのプロセッサと
を備え、前記少なくとも１つのプロセッサが、
装置と通信するためのチャネルの第１のセットを決定することと、ここにおいて、前記第１のセット中の各チャネルが、前記装置とのビームトレーニングを実行することによって決定される、
前記第１のセットからチャネルの第２のセットを決定することと、ここにおいて、前記第２のセットの前記チャネルが、しきい値よりも大きいチャネル状態を有する、
前記第２のセットを介してデータを通信することと、ここにおいて、前記データが通信される前記第２のセットのチャネルが、前記第２のセットの少なくとも１つのチャネルの前記チャネル状態に基づく、を行うように構成された、装置。
［Ｃ２２］
前記少なくとも１つのプロセッサが、
前記第１のセットの各チャネル上で少なくとも１つのパイロット信号を前記装置に送信することと、
前記少なくとも１つのパイロット信号に応答して、前記第１のセットの１つまたは複数のチャネル上で肯定応答（ＡＣＫ）／否定応答（ＮＡＣＫ）信号を受信したことに基づいて、前記第１のセットの各チャネルの前記チャネル状態を監視することと、
前記しきい値よりも大きい監視されたチャネル状態を有する前記第１のセットの前記チャネルを含むように前記第２のセットを決定することと
によってチャネルの前記第２のセットを決定するように構成された、Ｃ２１に記載の装置。
［Ｃ２３］
前記少なくとも１つのプロセッサは、
前記第２のセットの前記少なくとも１つのチャネルの前記監視されたチャネル状態に基づいて、前記第２のセットの前記チャネルの間で、通信されるべき前記データを分割することを行うようにさらに構成された、Ｃ２２に記載の装置。
［Ｃ２４］
前記少なくとも１つのプロセッサが、
前記第２のセットの前記少なくとも１つのチャネルの前記監視されたチャネル状態に基づいて、前記第２のセットの各チャネル上で送信されるパイロット信号の数を調整することによってチャネルの前記第２のセットを決定するようにさらに構成された、Ｃ２２に記載の装置。
［Ｃ２５］
前記少なくとも１つのプロセッサが、
前記第１のセットの各チャネルの前記チャネル状態を監視することと、
前記第１のセットの各チャネルの前記監視されたチャネル状態に基づいて、前記データを通信するためのリソース許可を決定することと、
前記決定されたリソース許可に対応する前記第１のセットの前記チャネルを含むように前記第２のセットを決定することと
によってチャネルの前記第２のセットを決定するように構成された、Ｃ２１に記載の装置。
［Ｃ２６］
前記少なくとも１つのプロセッサが、
前記装置からの前記データを通信するための前記リソース許可を前記装置に送信することを行うようにさらに構成された、Ｃ２５に記載の装置。
［Ｃ２７］
前記少なくとも１つのプロセッサが、
前記第１のセットの１つまたは複数のチャネル上で前記装置から少なくとも１つのパイロット信号を受信したことに基づいて、前記第１のセットの各チャネルの前記チャネル状態を監視することと、
前記しきい値よりも大きい監視されたチャネル状態を有する前記第１のセットの前記１つまたは複数のチャネルを含むように前記第２のセットを決定することと
によってチャネルの前記第２のセットを決定するように構成された、Ｃ２１に記載の装置。
［Ｃ２８］
前記少なくとも１つのプロセッサが、
前記少なくとも１つのパイロット信号に応答して、前記第２のセット中に含まれる前記１つまたは複数のチャネル上で肯定応答（ＡＣＫ）／否定応答（ＮＡＣＫ）信号を前記装置に送信することと、
前記第２のセットの前記少なくとも１つのチャネルの前記監視されたチャネル状態に基づいて、前記第２のセットの前記チャネルの間で前記データ通信を分割することと
を行うようにさらに構成された、Ｃ２７に記載の装置。
［Ｃ２９］
前記少なくとも１つのプロセッサが、
前記装置から、前記装置に前記データを通信するためのリソース許可を受信することと、
前記リソース許可に対応する前記第１のセットの前記チャネルを含むように前記第２のセットを決定することと
によってチャネルの前記第２のセットを決定するように構成された、Ｃ２１に記載の装置。
［Ｃ３０］
コンピュータ可読媒体に記憶されたコンピュータプログラム製品であって、少なくとも１つのプロセッサ上で実行されたとき、前記少なくとも１つのプロセッサに、
装置と通信するためのチャネルの第１のセットを決定することと、ここにおいて、前記第１のセット中の各チャネルが、前記装置とのビームトレーニングを実行することによって決定される、
前記第１のセットからチャネルの第２のセットを決定することと、ここにおいて、前記第２のセットの前記チャネルが、しきい値よりも大きいチャネル状態を有する、
前記第２のセットを介してデータを通信することと、ここにおいて、前記データが通信される前記第２のセットのチャネルが、前記第２のセットの少なくとも１つのチャネルの前記チャネル状態に基づく、を行わせるコードを備える、コンピュータプログラム製品。
【図１】
0006456985.tif 000002
【図２】
0006456985.tif 000003
【図３】
0006456985.tif 000004
【図４Ａ】
0006456985.tif 000005
【図４Ｂ】
0006456985.tif 000006
【図４Ｃ】
0006456985.tif 000007
【図５Ａ】
0006456985.tif 000008
【図５Ｂ】
0006456985.tif 000009
【図６Ａ】
0006456985.tif 000010
【図６Ｂ】
0006456985.tif 000011
【図７】
0006456985.tif 000012
【図８】
0006456985.tif 000013
【図９】
0006456985.tif 000014
【図１０】
0006456985.tif 000015
【図１１】
0006456985.tif 000016
【図１２】
0006456985.tif 000017